(57)【特許請求の範囲】
【請求項１】
原稿上の画像情報を読み取り、読み取った画像情報を被記録媒体にコピーさせるコピー装置において、
前記画像情報をカラーデータとして読み取るか、あるいは単色データとして読み取るかを判別する第１の判別手段と、
この第１の判別手段の判別結果に基づいて、画像情報を被記録媒体にコピーさせる記録密度を異ならせるための第１のデフォルト値を記憶する記憶手段と、
この記憶された第１のデフォルト値に基づいて、画像情報を被記録媒体にコピーさせる際の記録密度を変更する制御手段とを備え、
前記第１のデフォルト値は、カラーデータ用デフォルト値及び単色データ用デフォルト値を有し、制御手段はカラーデータ用デフォルト値を用いて高密度の記録密度でコピーし、単色データ用デフォルト値を用いて低密度の記録密度でコピーすることを特徴とするコピー装置。
【請求項２】
原稿上の画像情報を読み取り、読み取った画像情報を被記録媒体にコピーさせるコピー装置において、
マルチコピーモードか、シングルコピーモードかを判別する第２の判別手段と、
この第２の判別手段の判別結果に基づいて、画像情報を被記録媒体にコピーさせる記録密度を異ならせるための第２のデフォルト値を記憶する記憶手段と、
この記憶された第２のデフォルト値に基づいて、画像情報を被記録媒体にコピーさせる際の記録密度を変更する制御手段とを備えたことを特徴とするコピー装置。
【請求項３】
請求項２に記載のコピー装置において、
前記第２のデフォルト値は、マルチコピー用デフォルト値及びシングルコピー用デフォルト値を有し、制御手段はシングルコピー用デフォルト値を用いて高密度の記録密度でコピーし、マルチコピー用デフォルト値を用いて低密度の記録密度でコピーすることを特徴とするコピー装置。
【請求項４】
原稿上の画像情報をある読取解像度で読み取る読取装置において、
マルチ読取モードか、シングル読取モードかを判別する第２の読取判別手段と、
この第２の読取判別手段の判別結果に基づいて、読取解像度を異ならせて読み取るための第４のデフォルト値を記憶する記憶手段と、
この記憶された第４のデフォルト値に基づいて、画像情報を読み取る際の読取解像度を変更する制御手段とを備えたことを特徴とする読取装置。
【請求項５】
請求項４に記載の読取装置において、
前記第４のデフォルト値は、マルチ読取用デフォルト値及びシングル読取用デフォルト値を有し、制御手段はマルチ読取用デフォルト値を用いて、低解像度の読取解像度で読み取り、シングル読取用デフォルト値を用いて、高解像度の読取解像度で読み取ることを特徴とする読取装置。
【請求項６】
請求項４又は請求項５に記載の読取装置において、
前記画像情報をカラーデータとして読み取るか、あるいは単色データとして読み取るかを判別する第１の判別手段と、
この第１の読取判別手段の判別結果に基づいて、読取解像度を異ならせて読み取るための第３のデフォルト値を記憶する記憶手段と、
この記憶された第３のデフォルト値に基づいて、画像情報を読み取る際の読取解像度を変更する制御手段とを備えたことを特徴とする読取装置。
【請求項７】
請求項６に記載の読取装置において、
前記第３のデフォルト値は、カラーデータ用デフォルト値及び単色データ用デフォルト値を有し、制御手段はカラーデータ用デフォルト値を用いて、高解像度の読取解像度で読み取り、単色データ用デフォルト値を用いて、低解像度の読取解像度で読み取ることを特徴とする読取装置。
【請求項８】
記録データをある記録密度で被記録媒体に記録する記録装置において、
前記記録データがカラーデータか単色データかを判別する第１の記録判別手段と、
この第１の記録判別手段の判別結果に基づいて、記録密度を異ならせて記録するための第５のデフォルト値を記憶する記憶手段と、
この記憶された第５のデフォルト値に基づいて、記録データを記録する際の記録密度を変更する制御手段とを備え、
前記第５のデフォルト値は、カラーデータ用デフォルト値及び単色データ用デフォルト値を有し、制御手段はカラーデータ用デフォルト値を用いて高密度の記録密度で記録し、単色データ用デフォルト値を用いて低密度の記録密度で記録することを特徴とする記録装置。
【請求項９】
記録データをある記録密度で被記録媒体に記録する記録装置において、
マルチ記録モードか、シングル記録モードかを判別する第２の記録判別手段と、
この第２の記録判別手段の判別結果に基づいて、記録密度を異ならせて記録するための第６のデフォルト値を記憶する記憶手段と、
この記憶された第６のデフォルト値に基づいて、記録データを記録する際の記録密度を変更する制御手段とを備えたことを特徴とする記録装置。
【請求項１０】
請求項９に記載の記録装置において、
前記第６のデフォルト値は、マルチ記録用デフォルト値及びシングル記録用デフォルト値を有し、制御手段はシングル記録用デフォルト値を用いて高密度の記録密度で記録し、マルチ記録用デフォルト値を用いて低密度の記録密度で記録することを特徴とする記録装置。
【発明の詳細な説明】
【０００１】
【発明の属する技術分野】
本発明は、原稿上の画像情報を読み取り、読み取った画像情報を被記録媒体にコピーさせるコピー装置、原稿上の画像情報を読み取る読取装置、記録データを被記録媒体に記録する記録装置に関し、特に、コピー動作させる際に、記録密度等を記録・読取方式等の態様に応じて好適なものに設定できるコピー装置、画像情報を読み取る際の読取解像度を読取方式等の態様に応じて好適なものに設定できる読取装置、及び、記録データを被記録媒体に記録する際の記録密度を記録方式等の態様に応じて好適なものに設定できる記録装置に関する。
【０００２】
【従来の技術】
従来より、読み取り機能、白黒コピー機能、カラーコピー機能、ファクシミリ機能、スキャナー機能、プリンタ機能等の各種の機能を１つの装置に搭載し、１台の装置でそれぞれの機能を行い得る、マルチ・ファンクション・デバイスが種々提案されている。
このマルチ・ファンクション・デバイスにおいて、原稿上の画像情報を記録用紙に白黒またはカラーコピーさせる際に、記録密度等は白黒コピーまたはカラーコピー等に基づいて特に区別して設定されている訳ではないので、白黒コピーまたはカラーコピーに応じて、利用者が記録密度等をマニュアルキー等を操作して設定しなおしている。
【０００３】
【発明が解決しようとする課題】
このように設定し直す理由は、白黒のコピーの場合、コピーされた記録用紙上の画像の輪郭の明確性ゆえ、利用者は多少の低密度の記録密度で記録しても、コピーされた記録用紙を速く取得したい希望をもつのに対し、カラーコピーの場合には、美しい画像のコピーの取得を希望するため、記録速度が多少遅くても、高密度の記録密度で記録された記録用紙の取得を希望することが多いためである。そのため利用者は、記録密度等を設定し直すためマニュアルキー等を操作するが、この操作には煩雑な手間を要する。かかる問題は、原稿上の画像情報を読み取る読取装置及び記録データを被記録媒体に記録する記録装置についても、同様なことがいえる。
【０００４】
すなわち、利用者は、白黒データの読取の場合、原稿上の画像の輪郭の明確性ゆえ、多少の低解像度の読取解像度で読み取っても、読取動作が速いことを希望するのに対して、カラーデータの場合には、美しい画像の読み取りを希望するため、読取速度が多少遅くても、高解像度の読取解像度で読み取ることを希望する。同様に、白黒データの記録の場合、多少の低密度の記録密度であっても記録動作が速いことを希望するのに対して、カラーデータの場合には、高密度の記録密度で記録することを希望するため、利用者は、マニュアルキー等を操作して記録密度を設定し直す必要があるが、これら操作は極めて煩雑である。
【０００５】
本発明は、前記従来の問題点を解消するためになされたものであり、煩雑な手間を要することなく、コピー動作させる際の記録密度を、例えば、記録方式または読取方式等の態様に応じて自動的に設定できるコピー装置を提供することを目的とする。
また、本発明は、煩雑な手間を要することなく、画像情報を読み取る際の読取解像度を、例えば、読取方式等の態様に応じて自動的に設定できる読取装置を提供することを目的とする。
更に、本発明は、煩雑な手間を要することなく、被記録媒体に記録する際の記録密度を、例えば、記録方式等の態様に応じて自動的に設定できる記録装置を提供することを目的とする。
【０００６】
【課題を解決するための手段及び発明の効果】
前記目的を達成するため、請求項１に係る発明によれば、原稿上の画像情報を読み取り、読み取った画像情報を被記録媒体にコピーさせるコピー装置において前記画像情報をカラーデータとして読み取るか、あるいは単色データとして読み取るかを判別する第１の判別手段と、この第１の判別手段の判別結果に基づいて、画像情報を被記録媒体にコピーさせる記録密度を異ならせるための第１のデフォルト値を記憶する記憶手段と、この記憶された第１のデフォルト値に基づいて、画像情報を被記録媒体にコピーさせる際の記録密度を変更する制御手段とを備え、前記第１のデフォルト値は、カラーデータ用デフォルト値及び単色データ用デフォルト値を有し、制御手段はカラーデータ用デフォルト値を用いて高密度の記録密度でコピーし、単色データ用デフォルト値を用いて低密度の記録密度でコピーすることを特徴とする。
このように第１の判別手段が、原稿上の画像情報をカラーデータとして読み取るか、あるいは単色データとして読み取るかを判別し、制御手段はその判別結果に基づいて、記憶手段に記憶された第１のデフォルト値を使用して、被記録媒体にコピーさせる際の画像情報の記録密度を異ならせる。ここで、デフォルト値とは、一般に既定値ともいわれ、利用者が何も指定しない時に自動的に設定される数値または選択肢をいい、第１のデフォルト値は、被記録媒体にコピーさせる際の画像情報の記録密度を異ならせるためのものである。
それにより、このコピー装置は、コピー動作する際の態様、例えば、原稿上の画像情報をカラーデータとして読み取るか、あるいは単色データとして読み取るかに基づいて所望の記録密度に自動的に設定するので、利用者は、マニュアルキー等を操作して記録密度等を設定し直す必要はなく、煩雑な手間が不要となる。もっとも、記録密度が自動的に設定された後に、利用者が、必要に応じてマニュアルキー等を操作して記録密度等を設定し直してもよい。
【０００７】
また、前記第１のデフォルト値は、カラーデータ用デフォルト値及び単色データ用デフォルト値を有し、制御手段はカラーデータ用デフォルト値を用いて高密度の記録密度でコピーし、単色データ用デフォルト値を用いて低密度の記録密度でコピーすることを特徴とする。
それにより、前記第１のデフォルト値に基づいてコピー装置が動作する際に、単色のコピーの場合、制御手段は単色データ用デフォルト値を用いて低密度の記録密度でコピーし、コピー動作のスピードを優先するのに対し、カラーコピーの場合、制御手段はカラーデータ用デフォルト値を用いて高密度の記録密度でコピーし、コピーされた記録の品質を優先する。ここで、単色のコピーとは、一般に白黒コピーを意味するが、白黒以外の単色であってもよい。
【０００８】
また、請求項２に係る発明によれば、原稿上の画像情報を読み取り、読み取った画像情報を被記録媒体にコピーさせるコピー装置において、マルチコピーモードか、シングルコピーモードかを判別する第２の判別手段と、この第２の判別手段の判別結果に基づいて、画像情報を被記録媒体にコピーさせる記録密度を異ならせるための第２のデフォルト値を記憶する記憶手段と、この記憶された第２のデフォルト値に基づいて、画像情報を被記録媒体にコピーさせる際の記録密度を変更する制御手段とを備えたことを特徴とする。
このように第２の判別手段は、マルチコピーモードか、シングルコピーモードかを判別し、制御手段は、その判別結果に基づいて、記憶手段に記憶された第２のデフォルト値を使用して、被記録媒体にコピーさせる際の画像情報の記録密度を異ならせる。それにより、このコピー装置は、コピー動作する際の態様、例えば、マルチコピーモードか、シングルコピーモードかに応じて所望の記録密度に自動的に設定するので、利用者は、マニュアルキー等を操作して記録密度等を設定し直す必要はなく、煩雑な手間が不要となる。
ここで、マルチコピーモードか、シングルコピーモードかを判別する方法として、例えば、「操作用のキーを用いて、複数枚のコピー枚数を指定するか１枚のコピー枚数を指定するか」によって判別しても良いし、あるいはその他の方法によって判別しても良い。
【０００９】
また、請求項３に係るコピー装置は、請求項２に記載の発明において、前記第２のデフォルト値は、マルチコピー用デフォルト値及びシングルコピー用デフォルト値を有し、制御手段はシングルコピー用デフォルト値を用いて高密度の記録密度でコピーし、マルチコピー用デフォルト値を用いて低密度の記録密度でコピーすることを特徴とする。
それにより、第２のデフォルト値に基づいてコピー装置が動作する際に、マルチコピーモードの場合、制御手段はマルチコピー用デフォルト値を用いて低密度の記録密度で記録し、コピー動作のスピードを優先するのに対し、シングルコピーモードの場合、制御手段はシングルコピー用デフォルト値を用いて高密度の記録密度で記録し、コピーされた記録の品質を優先する。尚、出願時の請求項１または３は、独立形式の請求項であるが、請求項１を請求項３、４に従属する補正、または、請求項３を請求項１、２に従属する補正が可能である。
【００１０】
また、請求項４に係る発明によれば、原稿上の画像情報をある読取解像度で読み取る読取装置において、マルチ読取モードか、シングル読取モードかを判別する第２の読取判別手段と、この第２の読取判別手段の判別結果に基づいて、読取解像度を異ならせて読み取るための第４のデフォルト値を記憶する記憶手段と、この記憶された第４のデフォルト値に基づいて、画像情報を読み取る際の読取解像度を変更する制御手段とを備えたことを特徴とする。
このように第２の読取判別手段は、マルチ読取モードかシングル読取モードかを判別し、制御手段はその判別結果に基づいて、記憶手段に記憶された第４のデフォルト値を使用して、画像情報を読み取る際の読取解像度を異ならせる。
それにより、この読取装置は、読取動作する際の態様、例えば、マルチ読取モードか、シングル読取モードに応じて所望の読取解像度に自動的に設定するので、利用者は、マニュアルキー等を操作して読取解像度等を設定し直す必要はなく、煩雑な手間が不要となる。ここで、マルチ読取モードか、シングル読取モードかを判別する方法として、例えば、「操作用のキーを用いて、複数枚の原稿を指定するか１枚の原稿を指定するか」によって判別しても良いし、あるいはその他のものによって判別しても良い。
【００１１】
また、請求項５に係る読取装置によれば、請求項４に記載の発明において、前記第４のデフォルト値は、マルチ読取用デフォルト値及びシングル読取用デフォルト値を有し、制御手段はマルチ読取用デフォルト値を用いて、低解像度の読取解像度で読み取り、シングル読取用デフォルト値を用いて、高解像度の読取解像度で読み取ることを特徴とする。
それにより、第４のデフォルト値に基づいて読取装置が動作する際に、マルチ読取モードの場合、制御手段はマルチ読取用デフォルト値を用いて低密度の読取解像度で読み取り、読取動作のスピードを優先するのに対し、シングル読取モードの場合、制御手段はシングル読取用デフォルト値を用いて高密度の読取解像度で読み取り、読み取られた画像情報の品質を優先する。尚、出願時の請求項５または７は、独立形式の請求項であるが、請求項５を請求項７、８に従属する補正、または、請求項７を請求項５、６に従属する補正が可能である。
【００１２】
また、請求項６に係る発明によれば、請求項４又は請求項５に記載の発明において、原稿上の画像情報をある読取解像度で読み取る読取装置において、前記画像情報をカラーデータとして読み取るか、あるいは単色データとして読み取るかを判別する第１の読取判別手段と、この第１の読取判別手段の判別結果に基づいて、読取解像度を異ならせて読み取るための第３のデフォルト値を記憶する記憶手段と、この記憶された第３のデフォルト値に基づいて、画像情報を読み取る際の読取解像度を変更する制御手段とを備えたことを特徴とする。
このように第１の読取判別手段が、原稿上の画像情報をカラーデータとして読み取るか、あるいは単色データとして読み取るかを判別し、制御手段はその判別結果に基づいて、記憶手段に記憶された第３のデフォルト値を使用して、画像情報を読み取る際の読取解像度を異ならせる。
それにより、この読取装置は、読取動作する際の態様、例えば、原稿上の画像情報をカラーデータとして読み取るか、あるいは単色データとして読み取るかに基づいて所望の読取解像度に自動的に設定するので、利用者は、マニュアルキー等を操作して読取解像度等を設定し直す必要はなく、煩雑な手間が不要となる。もっとも、読取解像度が自動的に設定された後に、利用者が、必要に応じてマニュアルキー等を操作して読取解像度等を設定し直してもよい。
【００１３】
また、請求項７に係る読取装置によれば、請求項６に記載の読取装置において、前記第３のデフォルト値は、カラーデータ用デフォルト値及び単色データ用デフォルト値を有し、制御手段はカラーデータ用デフォルト値を用いて、高解像度の読取解像度で読み取り、単色データ用デフォルト値を用いて、低解像度の読取解像度で読み取ることを特徴とする。
それにより、前記第３のデフォルト値に基づいて読取装置が動作する際に、単色データの読み取りの場合、制御手段は単色データ用デフォルト値を用いて低密度の読取解像度で読み取り、読取動作のスピードを優先するのに対し、カラーデータの読み取りの場合、制御手段はカラーデータ用デフォルト値を用いて高密度の読取解像度で読み取り、読み取られた画像情報の品質を優先する。ここで、単色の読み取りとは、一般に白黒データとしての読み取りを意味するが、必要に応じて白黒以外の単色データであってもよい。
【００１４】
また、請求項８に係る発明によれば、記録データをある記録密度で被記録媒体に記録する記録装置において、前記記録データがカラーデータか単色データかを判別する第１の記録判別手段と、この第１の記録判別手段の判別結果に基づいて、記録密度を異ならせて記録するための第５のデフォルト値を記憶する記憶手段と、この記憶された第５のデフォルト値に基づいて、記録データを記録する際の記録密度を変更する制御手段とを備え、前記第５のデフォルト値は、カラーデータ用デフォルト値及び単色データ用デフォルト値を有し、制御手段はカラーデータ用デフォルト値を用いて高密度の記録密度で記録し、単色データ用デフォルト値を用いて低密度の記録密度で記録することを特徴とする。
このように第１の記録判別手段が、原稿上の画像情報をカラーデータとして記録するか、あるいは単色データとして記録するかを判別し、制御手段はその判別結果に基づいて、記憶手段に記憶された第５のデフォルト値を使用して、画像情報を被記録媒体に記録させる記録密度を異ならせる。
それにより、この記録装置は、記録動作する際の態様、例えば、記録データをカラーデータとして記録するか、あるいは単色データとして記録するかに基づいて所望の記録密度に自動的に設定するので、利用者は、マニュアルキー等を操作して記録密度等を設定し直す必要はなく、煩雑な手間が不要となる。もっとも、記録密度が自動的に設定された後に、利用者が、必要に応じてマニュアルキー等を操作して記録密度等を設定し直してもよい。ここで、単色データとは、一般に白黒のデータを意味するが、白黒以外の単色のデータであってもよい。
【００１５】
また、前記第５のデフォルト値は、カラーデータ用デフォルト値及び単色データ用デフォルト値を有し、制御手段はカラーデータ用デフォルト値を用いて高密度の記録密度で記録し、単色データ用デフォルト値を用いて低密度の記録密度で記録することを特徴とする。
それにより、前記第５のデフォルト値に基づいて記録装置が動作する際に、単色データの場合、制御手段は単色データ用デフォルト値を用いて低密度の記録密度で記録し、記録動作のスピードを優先するのに対し、カラーデータの場合、制御手段はカラーデータ用デフォルト値を用いて高密度の記録密度で記録し、記録品質を優先する。
【００１６】
また、請求項９に係る発明によれば、記録データをある記録密度で被記録媒体に記録する記録装置において、マルチ記録モードか、シングル記録モードかを判別する第２の記録判別手段と、この第２の記録判別手段の判別結果に基づいて、記録密度を異ならせて記録するための第６のデフォルト値を記憶する記憶手段とこの記憶された第６のデフォルト値に基づいて、記録データを記録する際の記録密度を変更する制御手段とを備えたことを特徴とする。
このように第２の記録判別手段は、マルチ記録モードか、シングル記録モードかを判別し、制御手段はその判別結果に基づいて、記憶手段に記憶された第６のデフォルト値を使用して、画像情報を被記録媒体に記録させる記録密度を異ならせる。
それにより、この記録装置は、記録動作する際の態様、例えば、マルチ記録モードか、シングル記録モードに応じて所望の記録密度に自動的に設定するので、利用者は、マニュアルキー等を操作して記録密度等を設定し直す必要はなく、煩雑な手間が不要となる。ここで、マルチ記録モードか、シングル記録モードかを判別する方法として、例えば、「操作用のキーを用いて、例えば、複数枚の被記録媒体を指定するか１枚の被記録媒体を指定するか」によって判別しても良いし、あるいはその他のものによって判別しても良い。
【００１７】
また、請求項１０に係る記録装置によれば、請求項９に記載の発明において、前記第６のデフォルト値は、マルチ記録用デフォルト値及びシングル記録用デフォルト値を有し、制御手段はシングル記録用デフォルト値を用いて高密度の記録密度で記録し、マルチ記録用デフォルト値を用いて低密度の記録密度で記録することを特徴とする。
それにより、第６のデフォルト値に基づいて記録装置が動作する際に、マルチ記録モードの場合、制御手段はマルチ記録用デフォルト値を用いて低密度の記録密度で記録し、記録動作のスピードを優先するのに対し、シングル記録モードの場合、制御手段はシングル記録用デフォルト値を用いて高密度の記録密度で記録し、記録品質を優先する。尚、出願時の請求項９または１１は、独立形式の請求項であるが、請求項９を請求項１１、１２に従属する補正、または、請求項１１を請求項９、１０に従属する補正が可能である。
更に、マルチ・ファンクション・デバイスとして、必要に応じて請求項１〜１２に記載のコピー装置・読取装置・記録装置の各機能を併せて有する装置としても良い。
【００１８】
【発明の実施の形態】
以下、本発明に係るコピー装置・読取装置・記録装置について図面を参照しつつ詳細に説明する。先ず、本実施形態に係る読取機能・記録機能・コピー機能等を有するマルチ・ファンクション・デバイスの概略構成について図１に基づき説明する。図１はマルチ・ファンクション・デバイスの斜視図である。尚、マルチ・ファンクション・デバイス１は、例えば、読取機能、プリンタ機能、白黒コピー機能、カラーコピー機能の他に、ファクシミリ送受信機能、電話機能その他の各種の機能を有している。
【００１９】
図１において、マルチ・ファンクション・デバイス１（以下、デバイス１と略称する）は装置本体２を備えており、かかる装置本体２の上面には、操作パネル３が前方側に配設され、また、読み取り用の原稿をセットするための原稿載置部４が中央部に配設されている。更に、装置本体２の上面後方側には、被記録媒体としての記録用紙を積層状態で収納する用紙カセット（図示せず）を挿嵌するための、カセット挿嵌部５が配設されている。
ここに、操作パネル３には、その上側に液晶（ＬＣＤ）ディスプレイ６が配置されており、この液晶ディスプレイ６は、各種のメッセージ、例えば、ファクシミリ機能の実行時における電話番号を表示する他に、白黒コピー動作、カラーコピー動作、読取動作、プリンタ動作等の実行時における操作指令メッセージ、その他の必要に応じたメッセージを表示する。
【００２０】
また、その液晶ディスプレイ６の下側（図１中、左側）には、「０」乃至「９」の数値ボタン７等が配置されており、これら数値ボタン７は、ファクシミリ機能時に電話番号を入力したり、コピー機能実行におけるコピー枚数等を入力するボタンである。また、数値ボタン７の右側側方には、ファクシミリ送信等に操作するスタートキー７ａが配置されている。更に、スタートキー７ａの上側には、ファクシミリ送信の際に、原稿上の画像情報をカラーデータとして読み取るか、あるいは単色（白黒）データとして読み取るかを指定する色指定キー７ｂが配置されている。
操作パネル３内の右下方側には、コピー実行ボタン８が配置されており、具体的には、白黒コピー実行ボタン８ａ及びカラーコピー実行ボタン８ｂが並んで配置されている。尚、コピー実行ボタン８が押下されると、液晶ディスプレイ６には、「コピー枚数を指定して下さい。」というメッセージが表示されるので、その状態で、所望の数値ボタン７を押さえれば、コピー枚数を入力できる。その際に、利用者が入力したコピー枚数が２以上の場合、マルチコピーモードが設定されるのに対して、入力したコピー枚数が１の場合、シングルコピーモードが設定される。
【００２１】
また、原稿載置部４は、ファクシミリ送信時に相手方に送信するための原稿や、コピー用の原稿を載置する部分であり、この原稿載置部４に置かれた原稿は、原稿載置部４から装置本体２内部に搬送されるとともに、画像読取部２１（図２、図３参照）によって原稿上の画像情報が読み取られた後、装置本体２の前面側に設けられた原稿排出部９に排出される。そして、前記画像読取部２１を介して読み取られた画像情報は、カラー情報も記録できる記録部としてのインクジェットプリンタ部３７（図２、図３参照）によって、カセット挿嵌部５内に挿嵌された用紙カセットから送給される記録用紙上に記録される。
このように画像情報が記録された記録用紙は、前記原稿排出部９の下側に設けられた記録用紙排出部１０上に排出されるが、カセット挿嵌部５内に挿嵌される用紙カセットには、例えば、Ａ４、Ｂ５サイズ等の異なったサイズの記録用紙を収納することができるので、記録用紙排出部１０上には、図２に示される搬送路４７を通過した異なったサイズの記録用紙が排出されることになる。
【００２２】
また、原稿載置部４と原稿排出部９との間を搬送される原稿は、図２に示されるように、デバイス１の装置本体２の内部通路、すなわち、操作パネル３の下側の案内通路１１を沿って搬送されるようになっている。この場合、操作パネル３の下方には、案内通路１１を沿って原稿分離用ローラ１２及びこの原稿分離用ローラ１２に対向当接する分離片１３が配設され、更に、この原稿分離用ローラ１２の下流側には、上下一対の案内ローラ１４が配設されている。またその案内ローラ１４の下流側には、上下一対の案内ローラ１５が配設されている。
そのため原稿載置部４で積層された原稿は、原稿分離用ローラ１２と分離片１３とによって一枚ずつ分離され、案内ローラ１４、１５によって、テンションが付与されながら下流側に向かって搬送されるが、このように搬送される原稿は、案内ローラ１４及び案内ローラ１５の間に設定された読取位置１６で画像読取部２１によって読み取られる。
【００２３】
その画像読取部２１は、図２に示されるデバイス１内部の読取位置１６の下方側に配置されているが、その具体的構造としては、読取位置１６の下方側に、赤色光、緑色光、青色光を選択的に発するランプ装置１７が配設され、また、この読取位置１６の真下の位置には、原稿からの反射光を受ける反射ミラー１８が配設され、この反射ミラー１８によって反射された光は、複数の反射ミラー１９ａ及び光学レンズ１９ｂ等を介して、ＣＣＤ装置１９に導びかれる。このＣＣＤ装置１９は、電荷結合素子(Charge Coupled Device)といわれる光電変換素子を備え、図示しない信号線を介して伝達されるクロック信号に同期して、蓄積された電荷を別の信号線（図示せず）を介して転送する機能を有している。そのため、転送された電荷は、後述するＣＰＵ２６の制御の下に、画像情報として処理される。
【００２４】
また、前記読取位置１６の近傍には、原稿を検出するための原稿センサ２９が配置されている。この原稿センサ２９は、例えば、原稿の先端もしくは後端により回動されるフォトインタラプタとフォトカップラとから構成され、フォトインタラプタによる遮光または透光のいずれかをフォトカップラが検出することにより、原稿を検出できる。そして、案内ローラ１４によって搬送された原稿が、原稿センサ２９によって検出されると、原稿の存在の有無が判別できる。
【００２５】
また、装置本体２内部の画像読取部２１の後方側には、プリンタ部３０が配設されており、このプリンタ部３０は、用紙カセットから搬送された記録用紙にカラーもしくは単色の画像情報または記録データを記録できるインクジェットプリンタ部３７を備えている。このプリンタ部３０は、いわゆるシリアル印字タイプであって、前記画像情報または記録データをシリアル方式で記録用紙に記録できる。すなわち、インクジェットプリンタ部３７は、装置本体２の左右方向に移動しながら、記録用紙上に一ライン分の画像情報または記録データを記録するとともに、一ラインの記録が完了すると、次の一ラインだけ記録用紙が搬送され、再び次の一ラインの画像情報または記録データを記録できるように構成されている。
【００２６】
具体的には、用紙カセットから送給される記録用紙は、図２に示される装置本体２内部の搬送路４７に沿って、一対の案内ローラ４５及びこれらローラ４５の下流側に位置する一対の案内ローラ４６により下流側の記録用紙排出部１０に向かって搬送される。このように搬送される記録用紙には、案内ローラ４５及び案内ローラ４６間でテンションが付与されながら、インクジェットプリンタ部３７が、案内ローラ４５及び案内ローラ４６間に設定された記録位置で記録するので、記録された記録用紙は、前記原稿排出部９の下側に設けられた記録用紙排出部１０上に排出される。
また、前記インクジェットプリンタ部３７による記録位置の近傍には、記録用紙を検出するための記録紙センサ３８が配置されている。この記録紙センサ３８は、例えば、記録用紙により回動されるフォトインタラプタとフォトカップラとから構成され、フォトインタラプタによる遮光または透光のいずれかをフォトカップラが検出することにより、記録用紙を検出できる。そして、案内ローラ４５によって搬送された記録用紙が、記録紙センサ３８によって検出されると、記録用紙の存在の有無が判別できる。
【００２７】
次に、前記のように構成されたデバイス１の制御系について、図３に基づき説明する。図３はデバイス１の制御系を示すブロック図である。図３において、デバイス１は、基本的に、ファクシミリ部２０とプリンタ部３０とから構成されている。このファクシミリ部２０とプリンタ部３０との間は、インターフェース３９により相互に信号やデータの伝送が可能となっている。
【００２８】
ファクシミリ部２０は、コピー機能の読取動作、ファクシミリ送受信機能等を実現するために構成されており、ファクシミリ制御回路２３、読取部としての画像読取部２１、モデム２２、ＮＣＵ（網制御装置）２４、復号器符号器２５、ＣＰＵ２６、ＲＯＭ２７、ＲＡＭ２８等からなる。ここに、ＣＰＵ２６によって制御されるファクシミリ制御回路２３は、ファクシミリ機能を実現するために、画像読取部２１等の制御を行う。モデム２２はＮＣＵ２４や電話回線Ｌ等によるネットワークを介して相手方のファクシミリＡ１との間で画像情報の送受信を行う。尚、ＮＣＵ２４は、電話網に対してダイアル信号を送出したり、或いは、電話網からの呼出信号に応答する等の動作を行う装置である。また、復号器符号器２５は、画像読取部２１によって読み取られた画像情報を相手方ファクシミリＡ１へ送信するために符号化したり、相手方のファクシミリＡ１から送られた符号化された受信データを記録するために復号化したりする。
【００２９】
ＣＰＵ２６は、ＲＯＭ２７に格納されているプログラムに従ってコピー機能、その他のファクシミリ装置の各種機能を達成するにつき必要な各種のプログラム等を実行し、ファクシミリ部２０全体の制御を行う。ＲＯＭ２７は、ファクシミリ部２０の制御上必要な各種のプログラム等を格納するメモリであり、また、ＲＡＭ２８は、相手方のファクシミリＡ１から送られた受信データ、画像読取部２１によって読み取られた画像情報及びＣＰＵ２６を介して演算された各種データ等を一時的に記憶するメモリである。従って、画像読取部２１が読み取った画像情報が記憶部に記憶させる態様の場合、その画像情報はＲＡＭ２８に記憶される。尚、ファクシミリ制御回路２３は、前記操作パネル３、原稿センサ２９、更に、前記案内ローラ１４、１５を駆動させる原稿搬送手段としてのローラ案内部Ｒ１に接続されている。
【００３０】
また、プリンタ部３０は、コピー機能及びファクシミリ受信データの記録機能、ビデオプリンタ機能を含むプリンタ機能を実現するために構成されており、プリンタ制御回路３１、文字発生回路（ＣＧ）３２、入出力回路（Ｉ／Ｏ）３３、ＣＰＵ３４、ＲＯＭ３５、ＲＡＭ３６、記録部としてのインクジェットプリンタ部３７等からなる。ここに、プリンタ制御回路３１は、プリンタ機能を実現するためにインクジェットプリンタ部３７等を制御する。また、文字発生回路３２は、パーソナルコンピュータ４０から送られてきた通信データの内容を記録するための文字データに変換する回路である。例えば、通信データに含まれる文字コードが「Ａ」である場合には、その「Ａ」の画像が記録用紙に形成されるように文字コードをビットイメージデータに変換する。入出力回路３３はケーブル４１を介してパーソナルコンピュータ４０との間で通信データの送受信を行う。
【００３１】
ＣＰＵ３４は、ＲＯＭ３５に格納されているプリンタ制御プログラムに従ってプリンタ部３０を制御し、その制御時に演算された各種データはＲＡＭ３６に一時的に記憶される。記録部としてのインクジェットプリンタ部３７は、インクジェットヘッドに形成されたインク吐出口から選択的にインク滴を記録用紙上に吐出して文字等を記録するものである。また、プリンタ制御回路３１は、前記案内ローラ４５、４６を回動させるローラ案内部Ｒ２、及び前記記録紙センサ３８に接続されている。
【００３２】
次に、前記デバイス１がコピー動作を行う場合の動作態様の概要を説明する。コピー機能は、ファクシミリ部２０とプリンタ部３０との協働によって実現される。この場合、原稿載置部４から搬送された原稿が、図２に示される読取位置１６にセットされ、且つ、用紙カセットから搬送された記録用紙が記録位置にセットされた状態で、原稿が原稿排出部９に向かって１ライン毎に搬送され、画像読取部２１が原稿上の画像情報を読み取る。その後、読み取られた画像情報が、ＣＰＵ２６の制御の下に、ファクシミリ部２０からプリンタ部３０に送出されるので、画像情報を受けたＣＰＵ３４は、インクジェットプリンタ部３７等を制御する。そして、インクジェットプリンタ部３７は、ＣＰＵ３４の制御の下に、用紙カセットから送られた記録用紙上に画像情報を記録することにより、コピー動作を行うことができる。従って、コピー動作の場合には、ＣＰＵ２６、３４が協働する。
【００３３】
ここで、画像読取部２１で入力される画像情報に関し、読取解像度との関係について説明する。一般に読取解像度が高ければ、読み取られた画像全体は細部まで表現され美しくなるが、１つの画像情報は原稿上の１つの画素と対応しているので、読取解像度が高くなるに伴って画像情報は多くなり、画像情報を記憶するメモリ容量が嵩む。また、読取解像度が高くなると、読取動作に費やす時間も多くなる。反対に、読取解像度が低くなると、読み取られた画像全体は画像全体は細部まで表現されず劣化するが、画像情報を記憶するメモリ容量が少なくなるとともに、読取動作に費やす時間も少なくなる。
【００３４】
その読取解像度は、副走査方向については、読取位置１６への原稿の副走査方向の搬送量と画像読取部２１の読取タイミングとの関係によって以下のように決定される。すなわち、例えば、１インチ当たり３００個分の画素を読み取る場合、１インチを３００で割った距離（約０．０８ｍｍ）だけ搬送される度に画像読取部２１により読み取りが行われるのに対し、１インチ当たり２００個分の画素を読み取る場合、１インチを２００で割った距離（約０．１２ｍｍ）だけ搬送される度に画像読取部２１により読み取りが行われる。従って、読み取りを行なう際の副走査方向の原稿搬送量が小さければ、１インチ当たりの読み取る画素数が多くなって、読取解像度は高くなるのに対して、読み取りを行なう際の副走査方向の原稿搬送量が大きければ、１インチ当たりの読み取る画素数が少なくなって、読取解像度は小さくなる。
【００３５】
この実施の形態の場合、ＣＰＵ２６が案内ローラ１４、１５の回動を制御するので、ＣＰＵ２６が案内ローラ１４、１５の回動を制御しながら画像読取部２１の読取タイミングを制御すれば、副走査方向の読取解像度を変更することができる。
また、主走査方向の読取解像度は、前記ＣＣＤ装置１９への制御信号を調整することにより変更できる。すなわち、制御信号がＣＣＤ装置１９に印加されることにより、ＣＣＤ装置１９から主走査方向の１ライン毎に取り出される画素数が多くなるほど、読取解像度は高くなるのに対して、主走査方向の１ライン毎に取り出される画素数が少なくなるほど、読取解像度は小さくなる。
従って、上記の制御を行えば、主走査方向及び副走査方向の読取解像度を変更できる。この場合、例えば、１平方インチ当たり３６０×３６０（主走査方向画素数×副走査方向画素数）の読取解像度は、１平方インチ当たり２００×２００（主走査方向画素数×副走査方向画素数）の読取解像度に比べて高くなる。
【００３６】
次に、記録部としてのインクジェットプリンタ部３７が記録動作する際の記録データと記録密度との関係について説明するが、前記画像情報と読取解像度との関係と同様であって、記録データは、記録用紙上の１つの画素と対応している。  そして、記録密度が高ければ、記録された画像は細部まで表現され美しくなるが、それに伴って記録データは多くなり、インクジェットプリンタ部３７が記録動作に費やす時間も多くなる。反対に、記録密度が低くなると記録された画像全体は細部まで表現されず劣化するが、画像情報を記憶するメモリ容量が少なくなるとともに、その記録動作に費やす時間も少なくなる。
【００３７】
その記録密度は、副走査方向については、記録位置への記録用紙の副走査方向の搬送量とインクジェットプリンタ部３７の記録タイミングとの関係によって決定される。すなわち、１インチ当たり３００個の記録画素がある場合、１インチを３００で割った距離（約０．０８ｍｍ）だけ搬送される度にインクジェットプリンタ部３７によって記録動作が行われるのに対し、１インチ当たり２００個の記録画素がある場合、１インチを２００で割った距離（約０．１２ｍｍ）だけ搬送される度にインクジェットプリンタ部３７によって記録動作が行われる。従って、記録動作を行なう際の副走査方向の記録用紙の搬送量が小さければ、１インチ当たりの記録画素数が多くなって、記録密度は高くなるのに対し、記録動作を行なう際の記録用紙の副走査方向の搬送量が大きくなれば、１インチ当たりの記録画素数が少なくなって、記録密度は小さくなる。
【００３８】
そして、この実施の形態の場合、ＣＰＵ３４が案内ローラ４５、４６の回動を制御するので、ＣＰＵ３４が案内ローラ４５、４６の回動を制御しながらインクジェットプリンタ部３７の記録タイミングを制御すれば、記録密度を変更することができる。
また、主走査方向の記録密度は、前記インクジェットプリンタ部３７の主走査方向（装置本体２の左右方向）の移動量とその記録タイミングとの関係によって決定されるが、記録用紙の副走査方向の搬送量と記録タイミングとの関係と同様である。それにより、インクジェットプリンタ部３７が記録動作を行なう際の主走査方向の移動量が小さければ、１インチ当たりの記録画素数が多くなって、記録密度は高くなるのに対し、記録動作を行なう際の主走査方向の移動量が大きくなれば、１インチ当たりの記録画素数が少なくなって記録密度は小さくなる。
従って、このような制御を行えば、主走査方向及び副走査方向の記録密度を変更できるが、この場合、例えば、１平方インチ当たり３６０×７２０（主走査方向画素数×副走査方向画素数）の記録密度は、１平方インチ当たり３６０×３６０（主走査方向画素数×副走査方向画素数）の記録密度に比べて高くなる。
【００３９】
続いて、前記のように構成されたデバイス１における信号の流れを図４に基づき説明する。図４は、デバイス１における信号の流れを概略的に説明するための図である。
画像読取部２１で読み取られる画像情報については、前述した態様でＣＰＵ２６が読取解像度を変更できるが、その画像情報は前記ＲＡＭ２８内に設けられている読取バッファ２８ａに記憶される。この読取バッファ２８ａからＣＰＵ２６が画像情報を出力するに際し、前記マルチコピーモードが設定されるか、あるいは、シングルコピーモードが設定されるかによって、画像情報の信号の流れが変わる。
すなわち、シングルコピーモードの場合、読取バッファ２８ａに記憶される画像情報については、ＣＰＵ２６が出力した画像情報を受け取るＣＰＵ３４は、その記録密度を適宜変更して、インクジェットプリンタ部３７に供給するので、インクジェットプリンタ部３７はその記録密度で供給された画像情報を記録用紙に記録することができる。この場合、画像読取部２１による読取動作及びインクジェットプリンタ部３７による記録動作は、同時に実行されているので、読取バッファ２８ａに記憶される画像情報の記憶容量は少なくなる。
【００４０】
一方、マルチコピーモードの場合、読取バッファ２８ａに記憶された画像情報は、読取バッファ２８ａから出力するに際し、ＣＰＵ２６によってＲＯＭ２７に記録されているデータ圧縮復元用テーブル（図示せず）を用いてデータ圧縮されるので、データ圧縮された画像情報は、前記ＲＡＭ２８内に設けられている圧縮データバッファ２８ｂに記憶される。そして、デバイス１は、マルチコピーをする際に、圧縮データバッファ２８ｂに記憶された圧縮データを、前記データ圧縮復元用テーブルを用いてデータ復元した後に、ＲＡＭ３６内に設けられている記録バッファ３６ａに記憶する。その後、記録バッファ３６ａから出力される画像情報は、ＣＰＵ３４によってその記録密度を適宜変更された後に、インクジェットプリンタ部３７に供給されるので、インクジェットプリンタ部３７はその記録密度で供給された画像情報を記録用紙に記録できる。
【００４１】
このマルチコピー動作の場合、画像読取部２１によって読み取られた１頁分の全画像情報をＣＰＵ２６が圧縮データバッファ２８ｂに記憶する際にデータ圧縮するが、これは、その画像情報を記憶するためのメモリ容量をできるだけ小さくして、効率的に記憶するためである。尚、マルチコピーモードかシングルコピーモードかを判別する判別方法として、例えば、「操作パネル３上のキーを用いて、複数枚のコピー枚数を指定するかあるいは１枚のコピー枚数を指定するか」によって判別するが、これ以外の判別方法を採用しても良い。
【００４２】
また、前記デバイス１がファクシミリ送信する際には、前記圧縮データバッファ２８ｂに圧縮データが記憶されるまでは、マルチコピーモードの画像情報の流れと同様であるが、その後の画像情報の流れが異なる。すなわち、圧縮データバッファ２８ｂから出力された圧縮データは、モデム２２によって符号化され、ＮＣＵ２４を介して相手方ファクシミリＡ１へ送信される。
また、前記デバイス１がファクシミリ受信する場合、ＮＣＵ２４を介して相手方ファクシミリＡ１から受信した画像情報は、モデム２２によって復号化された後に、圧縮データバッファ２８ｂに記憶される。その後、ファクシミリ情報を記録する際に、圧縮データバッファ２８ｂに記憶された圧縮データは、前記データ圧縮復元用テーブルを用いてＣＰＵ３４によってデータ復元された後に、ＲＡＭ３６内に設けられている記録バッファ３６ａに記憶される。そして、記録バッファ３６ａから出力される画像情報は、ＣＰＵ３４によってその記録密度を適宜変更されて、インクジェットプリンタ部３７に供給され、そのインクジェットプリンタ部３７が画像情報を記録用紙に記録する。
【００４３】
前記のように構成されたデバイス１に関し、そのコピー動作について図５に基づき説明する。図５は、そのコピー動作を示すプログラムのフローチャートである。
図５において、ステップ（以下、Ｓと略記する）１では、コピー実行ボタン８が、押下されたか否かを判断する（Ｓ１）。コピー実行ボタン８が、押下されていない場合（Ｓ１：ＮＯ）、ＣＰＵ２６、３４はコピー実行ボタン８が押下されるまで待機する。コピー実行ボタン８が押下されると（Ｓ１：ＹＥＳ）、ＣＰＵ２６、３４は、カラー読み取りかまたは単色（白黒）の読み取りか否かを検出する（Ｓ２）。この場合、ＣＰＵ２６、３４は白黒コピー実行ボタン８ａまたはカラーコピー実行ボタン８ｂのいずれかの押下状態を判別することにより、カラーデータとして読み取るかあるいは単色（白黒）データとして読み取るかを判別できる。
【００４４】
次に、Ｓ３でＹＥＳの場合、ＣＰＵ２６、３４はマルチコピーモードか、シングルコピーモードかを判別する（Ｓ３）。この場合、コピーする際に、利用者が数値入力用のキー７を用いて、複数枚のコピー枚数を指定するか１枚のコピー枚数を指定するかによって、ＣＰＵ２６、３４はマルチコピーモードかシングルコピーモードかを判別できる。
ここで、ＣＰＵ２６、３４はマルチコピーモードであると判別した場合（Ｓ３：ＹＥＳ）、ＲＯＭ２７、３５に記録されているカラーマルチ用デフォルト値を取り出して（Ｓ４）、コピー制御する（Ｓ５）。かかる場合、原稿載置部４から原稿分離用ローラ１２によって原稿を１枚取り出すとともに、用紙カセットから記録用紙を１枚取り出して、既述の如く、原稿上の画像情報を読み取り、読み取った画像情報を記録用紙にコピーさせることができる。
【００４５】
その際ＣＰＵ２６、３４はカラーマルチ用デフォルト値を用いてコピーするが、原稿上の画像情報を、具体的には、１平方インチ当たり３００×３００（主走査方向画素数×副走査方向画素数）の読取解像度で読み取り、例えば、１平方インチ当たり３６０×３６０（主走査方向画素数×副走査方向画素数）の記録密度で記録する。
一方、ＣＰＵ２６、３４は、マルチコピーモードでないと判別した場合（Ｓ３：ＮＯ）、すなわち、カラーシングルコピーモードであると判別した場合、ＲＯＭ２７、３５に記録されているカラーシングル用デフォルト値を取り出して（Ｓ６）、コピー制御する（Ｓ５）。この場合、原稿上の画像情報を、例えば、１平方インチ当たり３６０×３６０（主走査方向画素数×副走査方向画素数）の読取解像度で読み取り、例えば、１平方インチ当たり３６０×７２０（主走査方向画素数×副走査方向画素数）の記録密度で記録する。このようなカラーシングルコピーモードの場合、カラーマルチコピーモードに比べて、読取解像度が高く且つ記録密度も高いことが分かる。
【００４６】
このカラーマルチ用デフォルト値（３００×３００の読取解像度、３６０×３６０の記録密度）及びカラーシングル用デフォルト値（３６０×３６０の読取解像度、３６０×７２０の記録密度）の相違によれば、カラーマルチコピーモードの場合、読取解像度が低くなって画像情報を記憶するメモリ容量が少なくなるとともに、読取動作に費やす時間が短くなるのに対し、カラーシングルコピーモードの場合、読取解像度が高くなって画像情報を記憶するメモリ容量を多くなるとともに、読取動作に費やす時間が長くなることがわかる。更に、記録密度が、カラーマルチコピーモードよりカラーシングルコピーモードの方が高くなっているが、これは、カラーシングルコピーモードの場合、記録に要する時間が長くかかっても記録密度が高い方が、利用者にとって望ましいからである。
【００４７】
つまり、カラーマルチコピーモードを使用する場合にあっては、カラーシングルコピーモードとは違って、多少の読取解像度及び記録密度を低下させても、画像情報を記憶するメモリ容量を小さくするとともに、読取及び記録動作に費やす時間を短くする方が、利用者の使い勝手が良くなるという利便性を考慮したためである。
このようにデバイス１は、例えば、カラーマルチコピーモードまたはカラーシングルコピーモードの設定に応じて、ＣＰＵ２６、３４が、カラーマルチ用デフォルト値及びカラーシングル用デフォルト値を適宜取り出して、所望の読取解像度及び記録密度に自動的に設定するので、利用者は、マニュアルキー等を操作して記録密度等を設定し直す必要はなくなる。もっとも、読取解像度が自動的に設定された後に、利用者が、必要に応じてマニュアルキー等を操作して読取解像度等を設定し直してもよい。
【００４８】
ここで、Ｓ２でＮＯの場合、次に、ＣＰＵ２６、３４はマルチコピーモードか、シングルコピーモードかを判別する（Ｓ７）。Ｓ７でＹＥＳの場合、ＣＰＵ２６、３４はＲＯＭ２７、３５に記録されているモノマルチ用デフォルト値を取り出して（Ｓ８）、コピー制御する（Ｓ５）。この場合、ＣＰＵ２６、３４はモノマルチ用デフォルト値を用いてコピーするが、原稿上の画像情報を、例えば、１平方インチ当たり２００×２００（主走査方向画素数×副走査方向画素数）の読取解像度で読み取り、例えば、１平方インチ当たり３６０×３６０（主走査方向画素数×副走査方向画素数）の記録密度で記録する。
【００４９】
一方、ＣＰＵ２６、３４は、マルチコピーモードでないと判別した場合（Ｓ７：ＮＯ）、すなわち、シングルコピーモードであると判別した場合、ＲＯＭ２７、３５に記録されているモノシングル用デフォルト値を取り出して（Ｓ９）、コピー制御する（Ｓ５）。この場合、原稿上の画像情報を、例えば、１平方インチ当たり３６０×３６０（主走査方向画素数×副走査方向画素数）の読取解像度で読み取り、例えば、１平方インチ当たり３６０×３６０（主走査方向画素数×副走査方向画素数）の記録密度で記録するが、モノシングルコピーモードの場合、モノマルチコピーモードに比べて、読取解像度が高いことが分かる。
【００５０】
このようなモノマルチ用デフォルト値（２００×２００の読取解像度、３６０×３６０の記録密度）及びモノシングル用デフォルト値（３６０×３６０の読取解像度、３６０×３６０の記録密度）の相違によれば、モノマルチコピーモードの場合、読取解像度が低くなって画像情報を記憶するメモリ容量が少なくなるとともに、読取動作に費やす時間が短くなるのに対し、モノシングルコピーモードの場合、読取解像度が高くなって画像情報を記憶するメモリ容量を多くなるとともに、読取動作に費やす時間が長くなることがわかる。これは、モノマルチコピーモードを使用する場合は、モノシングルコピーモードとは違って、多少の読取解像度が低下しても、画像情報を記憶するメモリ容量を小さくするとともに、読取動作に費やす時間を短くする方が、利用者の使い勝手が良くなるという利便性を考慮したためである。但し、この場合、モノマルチコピー用デフォルト値及びモノシングル用デフォルト値は、同じ記録密度に設定してある。
【００５１】
また、上記したカラーマルチ用デフォルト値（３００×３００の読取解像度、３６０×３６０の記録密度）及びモノマルチ用デフォルト値（２００×２００の読取解像度、３６０×３６０の記録密度）の相違によれば、モノマルチコピーモードの場合、読取解像度が低くなって画像情報を記憶するメモリ容量が少なくなるとともに、読取動作に費やす時間が短くなるのに対し、カラーマルチコピーモードの場合、読取解像度が高くなって画像情報を記憶するメモリ容量を多くなるとともに、読取動作に費やす時間が長くなることがわかる。これは、モノマルチコピーモードを使用する場合は、多少の読取解像度が低下しても、画像情報を記憶するメモリ容量を小さくするとともに、読取動作に費やす時間を短くする方が、利用者の使い勝手が良くなるという利便性を考慮したためである。但し、この場合、モノマルチコピー用デフォルト値及びモノシングルコピー用デフォルト値は、同じ記録密度に設定してある。
【００５２】
また、上記したカラーシングル用デフォルト値（３６０×３６０の読取解像度、３６０×７２０の記録密度）及びモノシングル用デフォルト値（３６０×３６０の読取解像度、３６０×３６０の記録密度）の相違によれば、カラーシングルコピーモードの場合、記録密度が高くなるのに対し、モノシングルコピーモードの場合、記録密度が小さくなることがわかる。これは、モノシングルコピーモードを使用する場合にあっては、多少の記録密度が低下しても、記録動作に費やす時間を短くする方が、利用者の使い勝手が良くなるという利便性を考慮したためである。但し、この場合、カラーシングル用デフォルト値、及び、モノシングル用デフォルト値は、同じ読取解像度に設定してある。
もっとも、前述した１平方インチ当たりの読取解像度の数値、及び、１平方インチ当たりの記録密度の数値は、単なる一例に過ぎず、いかなる変更も可能である。この場合、Ｓ４、Ｓ６、Ｓ８、Ｓ９において読み出される「読取解像度及び記録密度」のデフォルト値は、それぞれカラーデータ用デフォルト値、単色データ用デフォルト値、マルチコピー用デフォルト値及びシングルコピー用デフォルト値を構成するので、第１のデフォルト値及び第２のデフォルト値に相当する。
【００５３】
以上詳述した如く、この実施の形態によれば、搬送される原稿上の画像情報を読み取り、読み取った画像情報を記録用紙（被記録媒体）にコピーさせるデバイス１（コピー装置）において、画像情報をカラーデータとして読み取るか、あるいは単色データとして読み取るかを判別するＣＰＵ２６、３４（第１の判別手段）と、マルチコピーモードかシングルコピーモードかを判別するＣＰＵ２６、３４（第２の判別手段）と、ＣＰＵ２６、３４（第１及び第２の判別手段）の判別結果に基づいて、画像情報を記録用紙（被記録媒体）にコピーさせる際の記録密度を異ならせるための第１及び第２のデフォルト値を記憶するＲＯＭ２７、３５（記憶手段）と、この記憶された第１及び第２のデフォルト値に基づいて、画像情報を記録用紙（被記録媒体）にコピーさせる際の記録密度を変更するＣＰＵ２６、３４（制御手段）とを備える。
【００５４】
そのため、前記デバイス１（コピー装置）は、例えば、「原稿上の画像情報をカラーデータとして読み取るか、あるいは単色データとして読み取るか」または「マルチコピーモードか、シングルコピーモードか」に基づいて所望の記録密度に自動的に設定する。
それにより、利用者はマニュアルキー等を操作して記録密度等を設定し直す必要はなく、煩雑な手間が不要となる。この場合、ＣＰＵ２６、３４は前記デフォルト値をＲＯＭ２７、３５から適宜取り出すことによって、画像情報を被記録媒体にコピーさせる際の記録密度を異ならせる制御手段を構成し、更に、画像情報をカラーデータとして読み取るか、あるいは単色データとして読み取るかを判別する第１の判別手段、及び、シングルコピーモードかマルチコピーモードかを判別する第２の判別手段を構成する。
【００５５】
尚、デバイス１は、コピーモード以外に、例えば、読取装置の機能として使用できる。この場合にあっても、画像情報をカラーデータとして読み取るか、あるいは単色データとして読み取るかを判別したり、または、マルチ読取モードかあるいはシングル読取モードかを判別することが行われる。その場合の動作態様としては、図５のフローチャートにおいて、Ｓ１の「コピー」を「読取」に変更し、Ｓ３、Ｓ７における「マルチコピー」を「マルチ読取」に変更し、Ｓ４、Ｓ６、Ｓ８、Ｓ９において「読取解像度」のデフォルト値のみを読み出し、Ｓ５の「コピー制御」を「読取制御」に変更すればよい。
【００５６】
この場合、Ｓ４、Ｓ６、Ｓ８、Ｓ９において読み出される「読取解像度」のデフォルト値は、それぞれカラーデータ用デフォルト値、単色データ用デフォルト値、マルチ読取用デフォルト値及びシングル読取用デフォルト値を構成するので、第３のデフォルト値及び第４のデフォルト値に相当する。
それにより、ＣＰＵ２６は、これらのデフォルト値を適宜取り出すことによって、画像情報を読み取る際の読取解像度を異ならせる制御手段を構成し、更に、画像情報をカラーデータとして読み取るか、あるいは単色データとして読み取るかを判別する第１の読取判別手段、及び、マルチ読取モードかシングル読取モードかを判別する第２の読取判別手段も構成する。
【００５７】
従って、本実施の形態のデバイス１は、前記画像情報をカラーデータとして読み取るか、あるいは単色データとして読み取るかを判別するＣＰＵ２６（第１の読取判別手段）と、マルチ読取モードか、シングル読取モードかを判別するＣＰＵ２６（第２の読取判別手段）と、これらの判別結果に基づいて、読取解像度を異ならせて読み取るための第３及び第４のデフォルト値を記憶するＲＯＭ２７（記憶手段）と、この記憶された第３及び第４のデフォルト値に基づいて、画像情報を読み取る際の読取解像度を変更するＣＰＵ２６（制御手段）とを備えることになる。この場合、マルチ読取モードか、シングル読取モードかを判別する方法として、例えば、「操作パネル３上のキーを用いて、複数枚の読取枚数を指定するか１枚の読取枚数を指定するか」によって判別しても良い。また、「前記色指定キー７ｂの押下操作によって」、カラーデータとして読み取るか、あるいは単色データとして読み取るかを判別しても良い。
【００５８】
また、デバイス１はコピーモード以外に、例えば、記録装置の機能として使用してもよい。この場合にあっても、記録データをカラーデータとして記録するか、あるいは単色データとして記録するかを判別する他に、マルチ記録モードか、シングル記録モードかを判別することが行われる。その場合の動作態様としては、図５のフローチャートにおいて、Ｓ１の「コピー」を「記録」に変更し、Ｓ３、Ｓ７における「マルチコピー」を「マルチ記録」に変更し、Ｓ４、Ｓ６、Ｓ８、Ｓ９において「記録密度」のデフォルト値のみを読み出し、Ｓ５の「コピー制御」を「記録制御」に変更すればよい。
この場合、Ｓ４、Ｓ６、Ｓ８、Ｓ９において読み出される「記録密度」のデフォルト値は、それぞれカラーデータ用デフォルト値、単色データ用デフォルト値、マルチ記録用デフォルト値及びシングル記録用デフォルト値を構成するので、第５のデフォルト値及び第６のデフォルト値に相当する。それにより、ＣＰＵ３４は、これらのデフォルト値を適宜取り出すことによって、記録データを記録させる際の記録密度を異ならせる制御手段を構成し、更に、受信した記録データがカラーデータか単色データかを判別する第１の記録判別手段、及び、マルチ記録モードかシングル記録モードかを判別する第２の記録判別手段も構成する。
【００５９】
特に、ファクシミリ受信データが、モノあるいはカラー、または、シングルあるいはマルチに応じて、記録密度を切り換える構成を採用しても良い。その場合、図５のフローチャートにおいて、Ｓ１の「コピー」を「ファクシミリ受信データ」に変更し、Ｓ３、Ｓ７における「マルチコピー」を「マルチ記録用のファクシミリ受信データ」に変更し、Ｓ４、Ｓ６、Ｓ８、Ｓ９において「記録密度」のデフォルト値のみを読み出し、Ｓ５の「コピー制御」を「ファクシミリ受信における記録制御」に変更すればよい。
但し、その場合、ファクシミリ受信データには、一枚の記録（シングル）かまたは複数枚の記録（マルチ）かのいずれかを示す識別データ、及び、カラーあるいは単色（白黒）データかのいずれかを示す識別データを含み、マルチ・ファンクション・デバイス１が、それを判別できるように構成されている必要がある。
【００６０】
また、本実施の形態のデバイス１は、既述した如く、記録データをインクジェットプリンタ部３７（記録部）が記録用紙（被記録媒体）に記録することができる。それにより、デバイス１は、記録データがカラーデータか単色データかを判別するＣＰＵ３４（第１の記録判別手段）と、マルチ記録モードか、シングル記録モードかを判別するＣＰＵ３４（第２の記録判別手段）と、これら判別結果に基づいて、記録密度を異ならせて記録するための第５及び第６デフォルト値を記憶するＲＯＭ３５（記憶手段）と、この第５及び第６のデフォルト値に基づいて、記録データを記録する際の記録密度を変更するＣＰＵ３４（制御手段）とを備えることになる。この場合、マルチ記録モードか、シングル記録モードかを判別する方法として、例えば、「操作パネル３上のキーを用いて、複数枚の記録枚数を指定するか１枚の記録枚数を指定するか」によって判別しても良い。
【００６１】
尚、本発明は前記実施形態に限定されるものではなく、本発明の要旨を逸脱しない範囲内で種々の改良、変形が可能であることは勿論である。例えば、マルチ・ファンクション・デバイスの形態を備えない、コピー装置、読取装置、記録装置であっても良い。また、読取部は、ＣＣＤ装置以外のものであってもよいし、また、記録部は、サーマルヘッド等の、インクジェットプリンタ部３７以外の記録部であってもよいし、被記録媒体は通常の記録用紙以外であってもよい。また、記憶手段に記憶される前記デフォルト値は、一例にすぎず、任意に変更することができる。
【図面の簡単な説明】
【図１】  この発明を具体化した実施の形態のマルチ・ファンクション・デバイスの斜視図である。
【図２】  そのマルチ・ファンクション・デバイス一部の内側を概略的に示す側面図である。
【図３】  そのマルチ・ファンクション・デバイスの制御系を示すブロック図である。
【図４】  そのマルチ・ファンクション・デバイス内の画像情報の流れを概略的に示す図である。
【図５】  そのマルチ・ファンクション・デバイスの動作の一部を示すフローチャートである。
【符号の説明】
１      マルチ・ファンクション・デバイス
２      装置本体
３      操作パネル
４      原稿載置部
６      液晶ディスプレイ
７      数値ボタン
８      コピー実行ボタン
１１    案内通路
２０    ファクシミリ部
２１    画像読取部
２３    ファクシミリ制御回路
２６    ＣＰＵ
２７    ＲＯＭ
２８    ＲＡＭ
２９    原稿センサ
３０    プリンタ部
３１    プリンタ制御回路
３４    ＣＰＵ
３５    ＲＯＭ
３６    ＲＡＭ
３７    インクジェットプリンタ部
３８    記録用紙センサ
４０    パーソナルコンピュータ
【図１】
0003817888.tif 000002
【図２】
0003817888.tif 000003
【図３】
0003817888.tif 000004
【図４】
0003817888.tif 000005
【図５】
0003817888.tif 000006